(57)【要約】本発明は、サービングセルによりサービスを受けるユーザ機器のダウンリンクをベースにした位置決めを可能にする、例えば、位置決めサーバのようなネットワークノードやユーザ機器における方法やその装置構成に関するものである。ネットワークノードは、隣接セルのタイミングとサービングセルのタイミングとの間のタイミング差を推定する（２１０）。このことは、隣接セルとサービングセルに関連した同期情報に基づいてなされる。それから、ユーザ機器に対して、位置決めの測定を実行するための指示を送信する（２２０）。その指示は隣接セルの識別子と推定されたタイミング差とを含む。このようにして、ＵＥは位置決めの測定を実行するときに、隣接セルのＳＦＮがサービングセルのＳＦＮに合わせられていない場合のときでさえも、基準信号を見出すことができる。
2012519870.tif 000002
【特許請求の範囲】
【請求項１】
無線通信システムにおいて、サービングセルによりサービスを受けるユーザ機器のダウンリンクをベースにした位置決めを可能にするネットワークノードのための方法であって、前記方法は、
隣接セルのタイミングと前記サービングセルのタイミングとの間のタイミング差を、前記隣接セルと前記サービングセルに関連した同期情報に基づいて、推定する工程（２１０）と、
位置決めの測定を実行するために、前記ユーザ機器に対して、前記隣接セルの識別子と前記推定されたタイミング差とを含む指示を送信する工程（２２２）とを有することを特徴とする方法。
【請求項２】
前記隣接セルと前記サービングセルに関連した同期情報は、前記セル各々に関して、時間ベースとシステムフレーム番号初期化時刻と位相オフセットとの内の少なくとも１つを含むことを特徴とする請求項１に記載の方法。
【請求項３】
前記タイミング差を推定する工程（２１０）は、
前記隣接セルと前記サービングセルとの間の時間ベース差と前記隣接セルと前記サービングセルとの間のシステムフレーム番号初期化時刻差と前記隣接セルと前記サービングセルとの間の位相オフセット差とを合計する工程（２１１）と、
前記合計にモジュロｎ演算を適用する工程（２１２）とを有し、
前記ｎは前記システムフレーム構造におけるスロット長であることを特徴とする請求項１又は２に記載の方法。
【請求項４】
前記タイミング差を推定する工程（２１０）はさらに、前記タイミング差を前記隣接セルと前記サービングセルの位相精度の積で調整する工程（２１３）を有することを特徴とする請求項３に記載の方法。
【請求項５】
前記タイミング差を推定する工程（２１０）は、前記サービングセルにおいて以前に位置決めがなされた少なくとも１つのユーザ機器からの位相差測定結果に基づいて統計的タイミング差をコンパイルする工程（２１４）を有することを特徴とする請求項１に記載の方法。
【請求項６】
前記ダウンリンクをベースにした位置決めは、観測到来時間差に基づいた位置決めであることを特徴とする請求項１乃至５のいずれか１項に記載の方法。
【請求項７】
前記無線通信システムはロングタームエボルーション（ＬＴＥ）システムであることを特徴とする請求項１乃至６のいずれか１項に記載の方法。
【請求項８】
無線通信システムにおいて、サービングセルによりサービスを受けるユーザ機器のダウンリンクをベースにした位置決めを可能にする前記ユーザ機器のための方法であって、前記方法は、
位置決めの測定を実行するために、ネットワークノードから、隣接セルの識別子と前記隣接セルのタイミングと前記サービングセルのタイミングとの間の推定されたタイミング差とを含む指示を受信する工程（３１０）と、
前記受信した指示に従って前記隣接セルの基準信号の前記位置決めの測定を実行するときに、前記推定されたタイミング差を用いる工程（３２０）とを有することを特徴とする方法。
【請求項９】
前記ダウンリンクをベースにした位置決めは、観測到来時間差に基づいた位置決めであることを特徴とする請求項８に記載の方法。
【請求項１０】
前記無線通信システムはロングタームエボルーション（ＬＴＥ）システムであることを特徴とする請求項８又は９に記載の方法。
【請求項１１】
無線通信システムにおいて、サービングセルによりサービスを受けるユーザ機器のダウンリンクをベースにした位置決めを可能にするよう構成されたネットワークノード（４００）であって、前記ネットワークノードは、
隣接セルのタイミングと前記サービングセルのタイミングとの間のタイミング差を、前記隣接セルと前記サービングセルに関連した同期情報に基づいて、推定するよう構成された推定ユニット（４０１）と、
位置決めの測定を実行するために、前記ユーザ機器に対して、前記隣接セルの識別子と前記推定されたタイミング差とを含む指示を送信するよう構成された送信器（４０２）とを有することを特徴とするネットワークノード。
【請求項１２】
前記隣接セルと前記サービングセルに関連した同期情報は、前記セル各々に関して、時間ベースとシステムフレーム番号初期化時刻と位相オフセットとの内の少なくとも１つを含むことを特徴とする請求項１１に記載のネットワークノード。
【請求項１３】
前記推定ユニット（４０１）は、前記隣接セルと前記サービングセルとの間の時間ベース差と前記隣接セルと前記サービングセルとの間のシステムフレーム番号初期化時刻差と前記隣接セルと前記サービングセルとの間の位相オフセット差とを合計し、前記合計にモジュロｎ演算を適用することにより、前記タイミング差を推定するよう構成され、
前記ｎは前記システムフレーム構造におけるスロット長であることを特徴とする請求項１１又は１２に記載のネットワークノード。
【請求項１４】
前記推定ユニット（４０１）はさらに、前記推定されたタイミング差を前記隣接セルと前記サービングセルの位相精度の積で調整するよう構成されることを特徴とする請求項１３に記載のネットワークノード。
【請求項１５】
前記推定ユニット（４０１）は、前記サービングセルにおいて以前に位置決めがなされた少なくとも１つのユーザ機器からの位相差測定結果に基づいて統計的タイミング差をコンパイルすることにより、前記タイミング差を推定するよう構成され、
前記位相差は、前記隣接セルに相対的なものであることを特徴とする請求項１１に記載のネットワークノード。
【請求項１６】
前記ダウンリンクをベースにした位置決めは、観測到来時間差に基づいた位置決めであることを特徴とする請求項１１乃至１５のいずれか１項に記載のネットワークノード。
【請求項１７】
前記無線通信システムはロングタームエボルーション（ＬＴＥ）システムであることを特徴とする請求項１１乃至１６のいずれか１項に記載のネットワークノード。
【請求項１８】
無線通信システムにおいて、サービングセルによりサービスを受けるユーザ機器のダウンリンクをベースにした位置決めを可能にするよう構成された前記ユーザ機器（４５０）であって、前記ユーザ機器は、
位置決めの測定を実行するために、ネットワークノードから、隣接セルの識別子と前記隣接セルのタイミングと前記サービングセルのタイミングとの間の推定されたタイミング差とを含む指示を受信するよう構成された受信器（４５１）と、
前記受信した指示に従って前記隣接セルの基準信号の前記位置決めの測定を実行するときに、前記推定されたタイミング差を用いるよう構成された位置決め測定ユニット（４５２）とを有することを特徴とするユーザ機器。
【請求項１９】
前記ダウンリンクをベースにした位置決めは、観測到来時間差に基づいた位置決めであることを特徴とする請求項１８に記載のユーザ機器。
【請求項２０】
前記無線通信システムはロングタームエボルーション（ＬＴＥ）システムであることを特徴とする請求項１８又は１９に記載のユーザ機器。
【発明の詳細な説明】
【技術分野】
【０００１】
本発明は無線通信システムにおける方法及び装置に関し、特に、例えば、ｅ−ＵＴＲＡＮにおけるユーザ機器の位置決めを容易にする方法及び装置に関する。
【背景技術】
【０００２】
全球移動体通信システム（ＵＭＴＳ）は、ＧＳＭの後継として設計された第３世代の移動体通信技術の１つである。３ＧＰＰロングタームエボルーション（ＬＴＥ）は、第３世代パートナーシッププロジェクト（３ＧＰＰ）の中にあるプロジェクトであり、ＵＭＴＳ標準を改良し、例えば、より高速なデータ速度、より改善された効率、より低コストなどのような改善されたサービスにより将来の要求に応えていこうとするものである。全球陸上無線アクセスネットワーク（ＵＴＲＡＮ）は、ＵＭＴＳの無線アクセスネットワークであり、発展型ＵＴＲＡＮ（ｅ−ＵＴＲＡＮ）は、ＬＴＥシステムの無線アクセスネットワークである。図１に例示しているように、ｅ−ＵＴＲＡＮは通常、一般にはｅノードＢとしても言及される無線基地局（ＲＢＳ）１１０ａ−ｃに無線接続された複数のユーザ機器（ＵＥ）１５０を含んでいる。ｅノードＢはセル１２０ａ−ｃとして言及される１つ以上のセルに対してサービスを行う。図１では、ＵＥ１５０はサービングセル１２０ａによりサービスを受けている。セル１２０ｂと１２０ｃとは隣接セルである。
【０００３】
移動体ユーザの位置決めはＵＥの空間座標を決定する処理である。一度その座標が利用可能となるなら、その位置は一定の場所或いはロケーションにマップされる。マッピング機能と要求に応じたロケーション情報の配信とは、緊急事態における基本的なサービスに要求されるロケーションサービスの一部である。ロケーションの知識をさらに十分に利用したり、或いは、顧客に付加価値を提供するためのロケーションの知識に基づくサービスは、ロケーション−アウェアサービス、ロケーション−ベースサービスとして、それぞれ言及される。
【０００４】
精度、実装のコスト、複雑さ、異なる環境での適用可能性などが異なる、複数の無線通信ネットワークでは、種々の位置決め技術が存在する。現存するネットワークにおいて、最も一般的なものは、ＵＥがアシストする解決策である。その場合、サービング移動体ロケーションセンタ（ＧＳＭではＳＭＬＣ、ＬＴＥでは発展型ＳＭＬＣ（ｅＳＭＬＣ））はＵＥによりレポートされた測定に基づいてＵＥの位置を計算する。ＳＭＬＣ／ｅＳＭＬＣ１００は、（図１で図示されているように）分離したネットワークノードであるか、或いは、他のネットワークノードにおいて統合された機能である。そのような方法の中で、アシステッド全球測位システム（Ａ−ＧＰＳ）は通常、最良の精度を提供する。移動体技術とＧＳＰとを組み合わせ、Ａ−ＧＰＳは、軌道データと他のデータとをＵＥに提供することによりＵＥ受信器の感度を向上させている。Ａ−ＧＰＳの欠点は、ＧＰＳを装備したＵＥが必要とされ、トンネル、室内の領域、都会の密集領域などのある環境ではそれが機能しないという点にある。それ故に、他の補完的な方法が、位置決めのために必要とされる。これらの方法は、異なるセルラアンテナからの複数の信号の到来時間差（ＴＤＯＡ）のＵＥでの測定を利用する。
【０００５】
ダウンリンクをベースにした位置決めのためにＵＭＴＳとＬＴＥで現在採用されている技術は、観測ＴＤＯＡ（ＯＴＤＯＡ）である。ＯＴＤＯＡは、３つ以上のサイト（図１を参照）から受信した信号のＴＤＯＡを推定する多辺測量の技術である。位置決めを可能にするために、ＵＥは少なくとも地理的に散らばった３つのＲＢＳからの位置決め基準信号を検出することができるべきである。これはその基準信号が、ＵＥがこれらを検出することができるために、十分に高い信号対干渉＋雑音比（ＳＩＮＲ）をもっている必要があることを示唆している。
【０００６】
ｅ−ＵＴＲＡＮにおいて複数のＵＥに対する位置決め方法の定義において、その検討は同期したネットワークに集中してなされた。同期したネットワークとは、システムフレーム番号（ＳＦＮ）のタイミングがそのネットワークの各セルにおいて位相合わせがなされているネットワークのことである。ネットワークを通じて完全にＳＦＮタイミングが合わせられている同期したネットワークではＵＥ位置決め方法を単純にすることができるかもしれないが、他のネットワーク同期が展開されている場合もある。それには以下のような例がある。
【０００７】
知られた位相誤りの範囲をもつフェーズロックされたネットワークがある。この場合、各セルのＳＦＮタイミングが位相合わせされることが意図されているが、実用上はその位相合わせは知られた位相誤りの範囲で制限される。この位相誤りの範囲は、例えば、非特許文献１におけるＬＴＥ  ＴＤＤ基地局に対して定義された要求によりカバーされているかもしれない。
【０００８】
知られた方法で（少なくとも関係する領域において）セル間でＳＦＮタイミングが異なるフェーズロックされたネットワークがある。この場合、セルのＳＦＮと制御ｅノードＢの基地局フレーム番号（ＢＦＮ）との差として定義される、これらのセルの位相オフセットは異なる。そのようなフェーズロックされたネットワークのセルもまた、位相オフセットに加えて知られた位相誤りの範囲をもつかもしれない。
【０００９】
ネットワークの各セルのＳＦＮタイミングが知られていない非同期のネットワークがある。さらにその上、各セルのＳＦＮタイミングは、各ｅノードＢがただ周波数同期されているだけなので、相当の位相ドリフトがあるかもしれない。
【先行技術文献】
【非特許文献】
【００１０】
【非特許文献１】３ＧＰＰ  技術仕様  ３６．１０４
【発明の概要】
【発明が解決しようとする課題】
【００１１】
ネットワーク同期を展開するケースのこれら異なる例では、ＵＥは位置決めの基準信号がいつ送信されるのかを前もって正確に知ることができず、それ故に、ＯＴＤＯＡ測定を行うことができるために異なるｅノードＢから送信される位置決めの基準信号を盲目的に検出しなければならない。これは、完全にＳＦＮタイミングが合わせられた場合よりも測定をより複雑なものにし、高いレベルの雑音が測定されるので、測定の精度がより低くなってしまうこともあるかもしれない。
【課題を解決するための手段】
【００１２】
本発明の目的は、先に概説した課題や不利益を扱い、ユーザ機器に処理を多く要求しない、ユーザ機器のダウンリンクをベースにした位置決めを可能にすることにある。この目的などは、独立請求項に従う方法や装置の構成により、また、従属請求項に従う実施例によって達成される。
【００１３】
本発明を第１の側面から見れば、無線通信システムにおいて、サービングセルによりサービスを受けるユーザ機器のダウンリンクをベースにした位置決めを可能にするネットワークノードのための方法が備えられる。その方法は、隣接セルのタイミングと前記サービングセルのタイミングとの間のタイミング差を、前記隣接セルと前記サービングセルに関連した同期情報に基づいて、推定する工程を含む。また、その方法は、前記ユーザ機器に対して、位置決めの測定を実行するための指示を送信する工程（２２２）を含む。その指示は前記隣接セルの識別子と前記推定されたタイミング差とを含む。
【００１４】
本発明を第２の側面から見れば、無線通信システムにおいて、サービングセルによりサービスを受けるユーザ機器のダウンリンクをベースにした位置決めを可能にする前記ユーザ機器のための方法が備えられる。その方法は、位置決めの測定を実行するための指示を、ネットワークノードから受信する工程を含む。その指示は、隣接セルの識別子と前記隣接セルのタイミングと前記サービングセルのタイミングとの間の推定されたタイミング差とを含む。また、その方法は、前記受信した指示に従って前記隣接セルの基準信号の前記位置決めの測定を実行するときに前記推定されたタイミング差を用いる工程を含む。
【００１５】
本発明を第３の側面から見れば、無線通信システムにおいて、サービングセルによりサービスを受けるユーザ機器のダウンリンクをベースにした位置決めを可能にするよう構成されたネットワークノードが備えられる。そのネットワークノードは、隣接セルのタイミングと前記サービングセルのタイミングとの間のタイミング差を、前記隣接セルと前記サービングセルに関連した同期情報に基づいて、推定するよう構成された推定ユニットを含む。それはまた、前記ユーザ機器に対して、位置決めの測定を実行するための指示を送信するよう構成された送信器を含む。なお、その指示は、前記隣接セルの識別子と前記推定されたタイミング差とを含む。
【００１６】
本発明を第４の側面から見れば、無線通信システムにおいて、サービングセルによりサービスを受けるユーザ機器のダウンリンクをベースにした位置決めを可能にするよう構成された前記ユーザ機器が備えられる。そのユーザ機器は、ネットワークノードから、位置決めの測定を実行するための指示を受信するよう構成された受信器を含む。その指示は、隣接セルの識別子と前記隣接セルのタイミングと前記サービングセルのタイミングとの間の推定されたタイミング差とを含む。また、そのユーザ機器は、前記受信した指示に従って前記隣接セルの基準信号の前記位置決めの測定を実行するときに、前記推定されたタイミング差を用いるよう構成された位置決め測定ユニットを含む。
【００１７】
本発明の実施例の利点は、異なる同期レベルにある複数のネットワークにおける位置決めをサポートできる点にある。
【００１８】
本発明の実施例のさらに別の利点は、位置決めの測定が測定する対象の位置決めのための基準信号を盲目的に探索する必要がないので、ユーザ機器は位置決め測定を実行する際により少ない処理しか必要とせず、ユーザ機器をあまり複雑でない構成にすることができる点にある。
【００１９】
本発明の実施例のさらに別の利点は、ＵＥが基準信号を盲目的に探索する必要がない場合には、測定を行う際に雑音がより少なくなるであろうから、位置決めの測定がより正確になるという点にある。
【００２０】
本発明とその他の目的や利点や新規な特徴とは以下の添付図面と関係して考慮するときに以下の詳細な説明から明らかになるであろう。
【図面の簡単な説明】
【００２１】
【図１】本発明が実施される従来のＬＴＥシステムの一部を模式的に示す図である。
【図２ａ】、
【図２ｂ】、
【図２ｃ】本発明の実施例に従うネットワークノードにおける方法のフローチャートである。
【図３】本発明に従うＵＥにおける方法のフローチャートを示す図である。
【図４】本発明に従うネットワークとＵＥを模式的に示す図である。
【発明を実施するための形態】
【００２２】
次に、ある実施例と添付図面を参照して本発明について詳細に説明する。本発明の十分な理解を提供するために、限定ではなく説明を目的として、特定の詳細、例えば、具体的シナリオ、技法等について説明する。しかし、当業者には明らかであろうが、本発明は、これらの特定の詳細から逸脱する他の実施例においても実施される。
【００２３】
また、当業者なら理解するであろうが、ここで以下説明する機能および手段は、プログラム化されたマイクロプロセッサまたは汎用コンピュータに関連して機能するソフトウェアとＡＳＩＣ（特定用途向け集積回路）との内、少なくともいずれかを用いて実装されてもよい。また、これも理解されるであろうが、本発明は主として方法とデバイスとの形で記述しているが、本発明は、コンピュータプログラム製品として、ならびに、コンピュータプロセッサおよびプロセッサに結合されたメモリを備えたシステムとしても実施することができ、ここでメモリは、ここで開示される機能を実行する１つ以上のプログラムを使って符号化される。
【００２４】
本発明について、ここでは特定のシナリオの例を参照して説明する。特に、本発明は、ｅノードＢを介して複数のＵＥと通信を行う集中型位置決めサーバ（ｅＳＭＬＣ）を備えるｅ−ＵＴＲＡＮに関する非限定的な一般的環境下で説明する。さらにその上、本発明の実施例は、選択されたダウンリンクをベースにした位置決め方法としてＯＴＤＯＡに関する非限定的な方法で説明する。なお、しかしながら、本発明とその代表的な実施例は、他のタイプの無線アクセスネットワーク、例えば、ＵＴＲＡＮおよびＷｉＭａｘ、ならびに他の位置決め方法や解決策にも適用される。
【００２５】
本発明の実施例では、ＵＥの位置決め測定を実行するときに、位置決め基準信号を盲目的に探索しなければならないＵＥに関係した欠点が、専用ｅＳＭＬＣのようなネットワークノードが隣接セルのタイミングとサービングセルのタイミングとのタイミング差を、これらセルについての同期情報に基づいて推定するという解決策によって扱われる。セルのタイミングは上述のようにＳＦＮタイミングに言及するものである。それから、推定されたタイミング差がＵＥに送信され、ＵＥはそれからいつ基準信号を装置するのかを見出すために、位置決め測定を実行するときにこのタイミング差を利用する。
【００２６】
ネットワーク或いはｅＳＭＬＣは、関係しかつ最新のセル同期情報をもつように構成される。セル同期情報は、例えば、
・同期タイプ、即ち、周波数同期、或いは、位相同期
（もしセルが位相同期であれば、それは周波数同期の要求も満たしていると考えられる）
・時間ベース−全球航法衛星システム（例えば、ＧＰＳタイム）、国際原子時刻など
・システムフレーム番号（ＳＦＮ）初期化時刻
・位相オフセット、即ち、セルのＳＦＮと制御ｅノードＢの基地局フレーム番号（ＢＦＮ）との間の差（ＳＦＮタイミングが合わせられた同期されたネットワークの場合、全てのセルにおいて位相オフセットが“０”である）
・例えば、標準規格においてＬＴＥ  ＴＤＤ（時分割複信）基地局に対して定義された位相精度
・提供された位相情報の信頼性を識別する位相ドリフト指示
このパラメータは非同期のネットワークに関係していても良く、ｅノードＢの内部クロックの移動ドリフトに対応する
・非同期ネットワークでも関係するかもしれないｅノードＢの内部クロックの周波数エラー
を含む。
【００２７】
本発明の実施例に従えば、ｅＳＭＬＣはそのようなセル同期情報を用いて、ＵＥが位置決め基準信号を検出するかもしれない複数の隣接セル各々に関して、隣接セルのタイミングとサービングセルのタイミングとの間のタイミング差を推定する。この推定されたタイミング差は、ＵＥが位置決め測定を実行するようにとの指示を受信するときに、ｅノードＢを介してＵＥに送信される。推定されたタイミング差は、対応する隣接セルの識別子とともにその指示に含まれる。
【００２８】
複数のＵＥの位置決め測定、即ち、複数の隣接セルに関する位置決め基準信号の観測到来時刻差の測定からの結果は、ＵＥに位置決め測定を行うように指示したｅＳＭＬＣにレポートとして返信される。ｅＳＭＬＣはそれから、レポートされた位置決め測定の結果に基づくとともに、例えば、セル同期情報とアンテナ位置情報とに基づいて、測定を実行したＵＥの位置を計算する。アンテナ位置情報は、そのアンテナがある場合にはｅノードＢから離れて設置されているときに注目される。
【００２９】
ｅＳＭＬＣにより実行されるタイミング差の推定は、セルの同期タイプに依存して異なる方法でなされても良い。本発明の第１の実施例では、そのセルは位相同期がとられている。推定された相対的セルタイミング或いはタイミング差が、次のことに従ってセル同期情報に基づいて計算される。全ての計算は同じ単位（例えば、μ秒）でなされる。
【００３０】
relative_time(cell_N) 
= [time_base_dif + init_time_dif + phase_offset_dif] MOD length(slot)
ここで、
・relative_time(cell_N) は、隣接セルＮのタイミングとサービングセルのタイミングとの間のタイミング差であり、
・time_base_dif は、隣接セルＮを制御するｅノードＢの使用される時間ベースに含まれる累積うるう秒とサービングセルをセルするｅノードＢの使用される時間ベースに含まれる累積うるう秒との間の差であり、
・init_time_dif は、隣接セルＮを制御するｅノードＢのＢＦＮ初期化時刻とサービングセルを制御するｅノードＢのＢＦＮ初期化時刻との間の差であり、
・phase_offset_dif は、隣接セルＮの位相オフセットとサービングセルの位相オフセットとの間の差であり、
・length(slot) は、標準化されたｅ−ＵＴＲＡフレーム構造におけるスロット長である。
【００３１】
上述の第１の実施例に従って計算される推定タイミング差はまた、オプションとしては隣接セルＮの位相精度とサービングセルの位相精度との積である相対精度で調整されても良い。
【００３２】
本発明の第２の実施例において、セルは周波数同期だけがとられ（非同期であるとしても言及される）、セル同期情報は以前のＵＥでの測定で補完されてタイミング差を推定し、これによって、ＵＥに関する位置決め測定のためのより正確な指示を定義する。
【００３３】
第２の実施例では、ｅＳＭＬＣはサービングｅノードＢを介して以前に位置決めがなされた複数のＵＥから隣接セルのタイミングの位相差測定を収集することができる。ＵＥの隣接セルＮのタイミングとサービングセルのタイミングとの間のタイミング差は、従って、以前に位置決めがなされた複数のＵＥにより提供されるセルＮに対する以前の測定結果の統計値として推定される。この統計的に推定されたタイミング差はまた、さらに、例えば、更に説明したセルＮの位相ドリフトと周波数エラーとで調整されると良い。
【００３４】
タイミング差の統計的推定が決定されない周波数同期のネットワークでのシナリオでは、ｅＳＭＬＣが複数の隣接セルに関する位相差測定を収集することができないので、ｅＳＭＬＣはその代わりにＵＥに対して完全なセル探索と各ＳＦＮ−ＳＦＮ位相差測定を実行するように要求すると良い。
【００３５】
位置決め測定を実行するようにとの指示を受信するＵＥは、その指示が隣接セルの識別子と対応する推定タイミング差或いは相対的セルタイミングとを含む場合、推定タイミング差を用いて対応する隣接セルから位置決め基準信号を見出すことができる。そのタイミング差はＵＥに対するタイミングのアシストとしての役割を果たし、ＵＥが測定を行う基準信号を時間的にいつ受信することを期待できるのかを推論する。従って、このことによりＵＥにおける信号処理を単純化し、また、基準信号のより正確な測定を可能にするであろう。
【００３６】
セルのタイミングは、セルの受信タイミングとして言及される、ＵＥにおいて受信されるフレームのタイミングでも良いし、或いは、送信タイミングとして言及されるＵＥに送信されるフレームのタイミングでも良い。受信タイミングをタイミング差の推定のベースにすることは、ＵＥが位置決め基準信号をいつ見出すのかを決定するためにより正確であるかもしれない。しかしながら、セルが小さく、受信タイミングが送信タイミングとだいたい同じであるなら、代わりに送信タイミングをタイミング差の推定のベースにすることは可能である。
【００３７】
図２ａは本発明の１実施例に従うネットワークノードにおける方法のフローチャートである。そのネットワークは１実施例では、ｅノードＢを介してＵＥと通信を行うＬＴＥシステムにおけるｅＳＭＬＣであると良い。そのフローチャートに図示された方法は次のステップを有する。
【００３８】
２１０−隣接セルのタイミングとサービングセルのタイミングとの間のタイミング差（或いは、相対的セルタイミング）がネットワークノードにより推定される。このことは、ネットワークにおいて構成設定されるセル同期情報に基づいてなされる。１実施例では、そのセル同期情報は、上述した、セルにおいて用いられる時間ベースと、そのセルのＳＦＮ初期化時刻と、そのセルについての位相オフセットとの内の少なくとも１つを含む。
【００３９】
２２０−ネットワークノードはそれから、ユーザ機器に、位置決めの測定を実行するための指示を送信する。その指示は、測定を行う隣接セルの識別子或いは複数の隣接セルの識別子のリストと、各隣接セルの識別子について対応する推定されたタイミング差とを含む。
【００４０】
図２ｂは上述した本発明の１実施例に従うネットワークノードにおける方法のフローチャートである。第１実施例では、セルは位相同期がとられ、隣接セルとサービングセルとの間のタイミング差を推定するステップ２１０は、次の２つの計算を含む。
【００４１】
２１１−２つのセルとの間の、時間ベース差とＳＦＮ初期化時刻差と位相オフセット差とを合計する。セル同期情報は従って、これらセル間のタイミング差を推定するために用いられる。
【００４２】
２１２−結果として得られた合計にモジュロｎ演算を適用する（２１２）。ここで、ｎはシステムフレーム構造におけるスロット長である。そのモジュロ演算を行った結果、セル間のタイミング差をスロット長で除算した剰余が得られる。異なるセルからの位置決め基準信号が送信され、それらは異なるが、その差はＵＥによって認識される１スロット長よりも小さいものである。モジュロ演算は従って、タイムスロット内で位置決め基準信号をどこで探せば良いのかの推定を与えることになる。
【００４３】
オプションとしては、その位相精度が、関係する隣接セルの精度とサービングセルの精度の積を用いてタイミング差を調整する（２１３）ことにより、考慮されても良い。ステップ２１１、ステップ２１２、そして、オプション的にはステップ２１３に従って推定されたタイミング差はそれから、図２ａを参照して上述したように送信されて（２２０）指示に含められる。
【００４４】
図２ｃは上述した本発明の第２実施例に従うネットワークノードにおける方法のフローチャートである。この実施例では、セルは周波数同期がとられているが位相同期はとられておらず、タイミング差を推定することができるために、ネットワークノードは以前に位置決めがなされた複数のＵＥによって実行された位相差推定を信頼する。上述のステップ２１０では、それ故、以前に位置決めがなされた複数のユーザ機器により実行された、隣接セルに関する位相差測定に基づいて計算されたタイミング差の平均値のような統計的タイミング差のコンパイル（２１４）のステップを有する。ステップ２２０は前述のように実行される。
【００４５】
図３は本発明の１実施例に従うＵＥにおける方法のフローチャートである。ＵＥは、例えば、ＬＴＥシステムのような無線通信システムにおいて、サービングセルによりサービスを受ける。ＵＥはＯＴＤＯＡのようなダウンリンクをベースにした位置決めを用いる。その方法は次のステップを有する。
【００４６】
３１０−位置決めの測定を実行するための指示を受信する。その指示はネットワークノードからｅノードＢを介して受信される。その指示は、隣接セルの識別子或いは複数の隣接セルの識別子のリストを含む。また、その指示は複数の隣接セルの識別子各々について、隣接セルのタイミングとサービングセルのタイミングとの間の推定されたタイミング差とを含む。
【００４７】
３２０−ＵＥは受信した指示に従って位置決めの測定を実行するときに、基準信号を見出すために、その指示で受信した推定されたタイミング差を用いる。従って、ＵＥは隣接セルのＳＦＮがサービングセルのＳＦＮと合わせられてはいないが、その指示とともにタイミングのアシストを受信しているので、盲目的に基準信号を探索する必要はないであろう。
【００４８】
本発明の実施例に従うネットワークノード４００が模式的に図４に図示されている。１つの実施例において、ネットワークノード４００はＯＴＤＯＡ技術を用いて位置決めをサポートするＬＴＥシステムにおけるｅＳＭＬＣであっても良い。それは、隣接セルのタイミングとサービングセルのタイミングとの間のタイミング差を、隣接セルとサービングセルに関する同期情報に基づいて、推定するよう構成された推定ユニット４０１を有する。そのセル同期情報は、セルに関して、時間ベースとシステムフレーム番号初期化時刻と位相オフセットとの内の１つ以上を含むと良い。そのネットワークノードはまた、ユーザ機器に対して、位置決めの測定を実行するための指示を送信する送信器４０２を有する。その指示は、測定を行う隣接セルの識別子のリストとともに、各隣接セルについての推定されたタイミング差とを含む。
【００４９】
上述した第１の実施例では、推定ユニット４０１は、隣接セルとサービングセルとの間の時間ベース差とシステムフレーム番号初期化時刻差と位相オフセット差とを合計し、その合計にモジュロｎ演算を適用することにより、タイミング差を推定するよう構成される。ここで、ｎはそのシステムフレーム構造におけるスロット長である。推定ユニット４０１はオプション的には、推定されたタイミング差を隣接セルとサービングセルの位相精度の積で調整するよう構成されても良い。
【００５０】
上述した第２の実施例では、推定ユニット４０１は、統計的タイミング差をコンパイルすることにより、タイミング差を推定するよう構成される。この統計的タイミング差は、例えば、サービングセルにおいて以前に位置決めがなされた１つ以上のユーザ機器からの位相差測定結果の平均値であっても良い。その位相差は、隣接セルに相対的に測定されるべきである。
【００５１】
本発明の実施例に従うＵＥ４５０が模式的に図４に図示されている。１つの実施例において、ＵＥ４５０はＬＴＥシステムにおけるＯＴＤＯＡ測定のようなダウンリンクをベースにした位置決めを可能にするように構成されると良い。それは、ネットワークノードからｅノードＢを介して、位置決めの測定を実行するための指示を受信する受信器４５１を有する。その指示は、測定を行う隣接セルの識別子と各隣接セルの識別子について推定されたタイミング差とを含む。ＵＥはまた、推定されたタイミング差を用いて、受信した指示に従って位置決めの測定を実行するように構成された位置決め測定ユニット４５２を有する。
【００５２】
上述の実施例は例として与えられただけであり、本発明を限定するものではない。添付の請求の範囲によって規定される本発明の範囲の中にある他の解決策、利用法、目的、機能は、当業者であれば、明らかであろう。
【００５３】
略語
３ＧＰＰ        第３世代パートナーシッププロジェクト
Ａ−ＧＰＳ      アシステッドＧＰＳ
ＢＦＮ          基地局フレーム番号
ＲＢＳ          無線基地局
ｅノードＢ      発展型ノードＢ
ｅ−ＵＴＲＡＮ  発展型ＵＴＲＡＮ
ｅＳＭＬＣ      発展型ＳＭＬＣ
ＧＰＳ          全球測位システム
ＧＳＭ          グローバル・システム・フォー・モバイル・コミュニケーションズ
ＬＴＥ          ロングタームエボルーション
ＯＴＤＯＡ      観測到来時間差
ＳＩＮＲ        信号対干渉＋雑音比
ＳＭＬＣ        サービング移動体ロケーションセンタ
ＳＦＮ          システムフレーム番号
ＴＤＯＡ        到来時間差
ＵＥ            ユーザ機器
ＵＭＴＳ        全球移動体通信システム
ＵＴＲＡＮ      全球陸上無線アクセスネットワーク。
【図１】
2012519870.tif 000003
【図２ａ】
2012519870.tif 000004
【図２ｂ】
2012519870.tif 000005
【図２ｃ】
2012519870.tif 000006
【図３】
2012519870.tif 000007
【図４】
2012519870.tif 000008
【国際調査報告】
2012519870.tif 000009
2012519870.tif 000010
2012519870.tif 000011